(57)【要約】【課題】携帯電話機を携帯する際に、着信操作を素早くできるようにするとともに、携帯電話機の落下や紛失を防止する。【解決手段】手首固定部１を手首に固定し、この手首固定部１に引っ張りコイルバネ７を介してスライド板３を往復動自在に装着し、引っ張りコイルバネ７が収縮した状態でスライド板３の前半を手首固定部１の前方に突出させ、引っ張りコイルバネ７が伸長した状態でスライド板３の後半を手首固定部１の後方に突出させる。このスライド板３の前半部上面に携帯電話機Ｐを着脱自在に取り付ける。引っ張りコイルバネ７が伸長して前記スライド板３の後半が手首固定部１の後方に突出して係止されている状態で、その係合を解除レバー４ｅにより解除する。【選択図】　図３
2004112103.tif 000002
【特許請求の範囲】
【請求項１】
着脱自在に手首に巻き付け固定される手首固定部と、
この手首固定部に引っ張りコイルバネを介して往復動自在に装着され、引っ張りコイルバネが収縮した状態で本体前半が手首固定部の前方に突出し、引っ張りコイルバネが伸長した状態で本体後半が手首固定部の後方に突出するとともに手首固定部に係止されるスライド板と、
このスライド板の前半部上面に携帯電話機を着脱自在に取り付ける取り付け手段と、
前記手首固定部に設けられ、前記引っ張りコイルバネを伸長して前記スライド板の後半が手首固定部の後方に突出して係止されている状態で、その係合を解除する解除レバーと、
を備えたことを特徴とする携帯電話保持器。
【発明の詳細な説明】
【０００１】
【発明の属する技術分野】
本発明は、携帯電話を手首部分に取り付けるようにして、常時携帯を可能にした携帯電話保持器に関する。
【０００２】
【従来の技術】
近年、携帯電話が普及し、多くの人が携帯して歩くようになった。携帯電話機本体は、年々小型化されて、携帯に便利になってきているが、その反面小型化された分、置き忘れたり、紛失したりしやすくなった。そこで、電話機本体に、ストラップを取り付けたり、専用のケースに収納してベルトに取り付けたりしていたが、完全な対策とはならなかった。また、携帯電話をハンドバックや鞄の中にいれて持ち歩く場合があるが、着信音が鳴ったときにハンドバック等から取り出すのに時間がかかり、取り出したときには電話が切れてしまうこともあった。
【０００３】
【発明が解決しようとする課題】
そこで、携帯電話を携帯する場合に、紛失や、置き忘れを防止するともに、着信音が鳴ったとき、直ぐに着信操作ができることを可能にした携帯電話保持器を提案することを課題とした。
【０００４】
【課題を解決するための手段】
上記課題を解決するために、請求項１の発明は、着脱自在に手首に巻き付け固定される手首固定部と、この手首固定部に引っ張りコイルバネを介して往復動自在に装着され、引っ張りコイルバネが収縮した状態で本体前半が手首固定部の前方に突出し、引っ張りコイルバネが伸長した状態で本体後半が手首固定部の後方に突出するとともに手首固定部に係止されるスライド板と、このスライド板の前半部上面に携帯電話機を着脱自在に取り付ける取り付け手段と、前記手首固定部に設けられ、前記引っ張りコイルバネを伸長して前記スライド板の後半が手首固定部の後方に突出して係止されている状態で、その係合を解除する解除レバーとを備えたことを特徴とする。
【０００５】
【発明の実施の形態】
以下、図に基づいて本発明の実施形態を説明する。図１は本発明に係る携帯電話保持器の分解斜視図であり、図２は図１の要部の斜視図、平面図、側面図である。これらの図において、１は手首に巻き付けられる手首固定部であり、布または軟質樹脂からなるリストバンド２と、スライド板３を摺動自在に保持する保持部４とからなる。リストバンド２の端部には絡合片５，６が逢着または接着されていてリストバンド２を手首に固定する。保持部４の上面両側部には、スライド板３を摺動自在に嵌合する係合溝４ａ，４ｂが形成されている。保持部４の前端（図１の左下方）には、突起４ｃが突設されて、引っ張りコイルバネ７の一端が係合される。
【０００６】
係合溝４ａ，４ｂに挟まれる、保持部４の上面部には、基端が前端部に支持された爪４ｄが突設され、スライド板３の下面の爪３ａと係合する。爪４ｄは、その一部が保持部４の側面に延設され、Ｔ字形の解除レバー４ｅが形成されている。この解除レバー４ｅをリストバンド２の方向（下面側）に押圧すると、爪４ｄが連動してスライド板３の爪３ａとの係合が解除される。また、引っ張りコイルバネ７の他端は、スライド板３の後端下面の孔３ｂと係合して、スライド板３を前方（図１の左下方）に付勢する。
【０００７】
スライド板３はアルミまたはプラスチックにより形成され、全長が取り付ける携帯電話機の長さのほぼ２倍あり、幅が保持部４の係合溝４ａ，４ｂに嵌合する寸法である。また、スライド板３の両端に保持部４からの抜け止め３ｃ，３ｄが形成されている。スライド板３の前半部（図１の左下方）の上面には、携帯電話機を取り付けるための取り付け台８が接着等により固定される。取り付け台８の周囲４箇所には、携帯電話機（図示せず）を固定するための、爪８ａ〜８ｄが突設されている。この爪８ａ〜８ｄの内側に、携帯電話機を挿入して固定するのであるが、図１のような爪８ａ〜８ｄによる固定方法以外に、バンドにより締めつけて固定する方法、ネットで覆って固定する方法、粘着剤を貼り付けて固定する方法等がある。
【０００８】
図３は、上述した携帯電話保持器の使用状態を示す説明図であり、図（ａ）は電話機を使用している状態、図（ｂ）は電話機を使用していない待機状態を示す。携帯電話保持器を腕Ａに取り付けるには、先ず、リストバンド２内に左の腕Ａの手首部分を挿入し、絡合片５，６を貼り付けて保持部４を腕Ａの内側に固定する。次に、スライド板３の前半部に固定されている取り付け台８の爪８ａ〜８ｄの内側に携帯電話機Ｐを挿入して固定する。ここで、電話機Ｐを使用しない待機状態であれば、図（ｂ）のように、引っ張りコイルバネ７を引き伸ばしながらスライド板３を摺動して電話機Ｐを腕Ａの後方に後退させる。電話機Ｐが最終位置まで後退すると、保持部４の爪４ｄにスライド板３の下面の爪３ａが係止され、電話機Ｐは後退した位置に保持される。この状態で腕Ａの通常の使用は自由である。
【０００９】
次に、電話機Ｐが待機の位置に保持されている状態で、着信音が鳴ると、電話機Ｐが装着されていない右手を用いて、保持部４の側面の解除レバー４ｅを押下する。すると、スライド板３の下面の爪３ａと爪４ｄとの係合が解除されて、引っ張りコイルバネ７の復元力により、図（ａ）のように、スライド板３が前方に移動し、電話機Ｐが掌の位置となる。ここで、二つ折りの電話機Ｐを開いて着信操作をし、腕Ａを耳元に移動し通話を開始する。通話が終了すると、電話機Ｐを閉じて、電話機Ｐを腕Ａの後方に後退させ、図（ｂ）の待機位置にする。図示例では、二つ折りタイプの電話機Ｐを取り付けていたが、二つ折りでないストレートタイプの電話機についても同様に使用可能である。
【００１０】
図４は、図１のスライド板３と取り付け台８の別の形態を示す斜視図である。図のスライド板１３が、図１のスライド板３と異なるところは、取り付け台１８を固定するための爪１３ｅ〜１３ｈを設けた点と、爪１３ｅ〜１３ｈに囲まれる上面の中央に位置決め用の突起１３ｉを設けた点である。取り付け台１８が、図１の取り付け台８と異なる点は、突起１３ｉが係合する孔１８ｅを形成した点である。すなわち、電話機を取り付けた取り付け台１８が、スライド板１３に対して爪１３ｅ〜１３ｈにより着脱可能になったことを特徴とする。
【００１１】
【発明の効果】
以上述べたように本発明によれば、携帯電話機を手首部分に前後方向移動自在に取り付けたことで、置き忘れや、紛失が解消されるとともに、着信音が鳴ったとき、直ぐに着信操作ができるようになる。また、携帯電話機を取り出すときの落下も解消される。
【図面の簡単な説明】
【図１】本発明に係る携帯電話保持器の分解斜視図である。
【図２】図１の要部を示し、（ａ）は斜視図、（ｂ）は平面図、（ｃ）は側面図である。
【図３】使用状態を示す説明図であり、（ａ）は着信の状態、（ｂ）は待機状態を示す。
【図４】スライド板と取り付け台の別の形態を示す斜視図である。
【符号の説明】
１　手首固定部
２　リストバンド
３　スライド板
３ｂ　孔
３ｃ，３ｄ　抜け止め
４　保持部
４ａ，４ｂ　係合溝
４ｃ　突起
４ｄ　爪
４ｅ　解除レバー
５，６　絡合片
７　引っ張りコイルバネ
８　取り付け台
８ａ〜８ｄ　爪
１３　スライド板
１３ｅ〜１３ｈ　爪
１３ｉ　突起
１８　取り付け台
１８ｅ　孔
Ａ　腕
Ｐ　携帯電話機
【図１】
2004112103.tif 000003
【図２】
2004112103.tif 000004
【図３】
2004112103.tif 000005
【図４】
2004112103.tif 000006